(57)【要約】【課題】本発明は、例えば複数枚のカーペット等の軟らかい被包装物を、その角部にシュリンクフィルムによる応力をかけずに梱包し、被包装物の角部に梱包癖が付くのを防止することを課題とする。【解決手段】角部を有する複数の被包装物の全体が、複数段に重ね合わされた状態でシュリンクフィルムを加熱収縮することにより、シュリンク包装されてなるシュリンク包装体であって、前記シュリンクフィルムは、少なくとも被包装物の角部の部分がほとんど加熱収縮されていないことにある。【選択図】    図１
2004168350.tif 000002
【特許請求の範囲】
【請求項１】
角部を有する複数の被包装物の全体が、複数段に重ね合わされた状態でシュリンクフィルムを加熱収縮することにより、シュリンク包装されてなるシュリンク包装体であって、前記シュリンクフィルムは、少なくとも被包装物の角部の部分がほとんど加熱収縮されていないことを特徴とするシュリンク包装体。
【請求項２】
角部を有する被包装物の全体を、複数段に重ね合わせてシュリンクフィルムでシュリンク包装するシュリンク包装方法であって、前記シュリンクフィルムを加熱収縮する際に、少なくとも被包装物の角部の部分をほとんど加熱収縮しないようにしたことを特徴とするシュリンク包装方法。
【発明の詳細な説明】
【０００１】
【発明の属する技術分野】
本発明は、特にタイルカーペト等の軟らかい被包装物の全体をシュリンク包装してなるシュリンク包装体及びその包装方法に関する。
【０００２】
【従来の技術】
従来、例えばタイルカーペト等の腰の軟らかい被包装物は、製造工場において複数枚が重ね合わされてパッキングケース（ダンボール箱）に梱包された状態で出荷されているのが一般的である。
【０００３】
【発明が解決しようとする課題】
ダンボールは、廃棄処分に際して、嵩張るためゴミ処理としての問題や、リサイクルや省資源等の環境の問題があり、使用しないのが望ましい。かかる包装材の節約や環境問題を解消する手段として、被包装物をシュリンクフィルムでオーバーラップするシュリンク包装が周知である。
【０００４】
シュリンクフィルムは熱収縮するため、緊張状態で被包装物の全体をタイトに包装することとなる。図５（イ）に示す如く、仮に、タイルカーペット等のようにシート状態の軟らかい被包装物５０を、シュリンクフィルム５１でシュリンク包装する場合、シュリンクフィルムの収縮力によって、その被包装物５０の角部５０ａが厚さ方向に圧縮し緊張されることとなる。このように梱包された複数の被包装物５０は、シュリンク包装された状態で製造工場から出荷搬送され流通された後に、シュリンクフィルム５１が開封されて店頭に陳列されることとなる。
【０００５】
複数の被包装物５０は、工場出荷から陳列されるまでの長時間において、全体が緊張状態でシュリンク包装されていることから、緊張された状態の癖（梱包癖）がついてしまう。被包装物５０の角部５０ａは変形し易いため、特に上段側及び下段側の被包装物５０の各角部５０ａはその厚さ方向に湾曲しり、潰れたりした癖がついてしまい、商品価値が低下する問題がある（図５（ロ）参照）。
【０００６】
そこで、本発明は、上記従来の問題点に鑑みてなされたもので、例えば複数枚のカーペット等の軟らかい被包装物を、その角部にシュリンクフィルムによる応力をかけずに梱包し、被包装物の角部に梱包癖が付くのを防止することを課題とする。
【０００７】
【課題を解決するための手段】
本発明は、上記課題を解決すべくシュリンク包装体及びその包装方法としてなされたものであり、シュリンク包装体としての特徴は、角部を有する複数の被包装物の全体が、複数段に重ね合わされた状態でシュリンクフィルムを加熱収縮することにより、シュリンク包装されてなるシュリンク包装体であって、前記シュリンクフィルムは、少なくとも被包装物の角部の部分がほとんど加熱収縮されていないことにある。尚、被包装物の角部の部分がほとんど加熱収縮されていないとは、シュリンクフィルムが全く加熱収縮されていない場合と、角部を圧縮して緊張させない状態に加熱収縮された場合とを含む概念である。
【０００８】
そして、シュリンクフィルムは、複数の被包装物の全体を被覆（オーバーラップ）するため、被包装物をゴミや埃等から保護する。しかも、シュリンクフィルムは、角部以外の部分が緊張状態を維持するため、各被包装物をガタ付くことなく、包装することができる。しかも、シュリンクフィルムは、被包装物の角部に対応する部分がほとんど熱収縮されていないことから、被包装物の角部は、シュリンクフィルムによる緊張力（応力）が作用することはなく、長期にわたって包装されていても梱包癖が付くことはない。
【０００９】
シュリンク包装方法としての特徴は、角部を有する被包装物の全体を、複数段に重ね合わせてシュリンクフィルムでシュリンク包装するシュリンク包装方法であって、前記シュリンクフィルムを加熱収縮する際に、少なくとも被包装物の角部の部分をほとんど加熱収縮しないようにすることにある。
【００１０】
そして、シュリンクフィルムを加熱収縮する際に、被包装物の角部の部分をほとんど加熱収縮しないため、シュリンクフィルムにおける被包装物の角部の被覆する部分は、弛んだ状態で角部を被覆することとなり、角部に梱包癖を付けることはない。
【００１１】
【発明の実施の形態】
以下、本発明の一実施形態について図面を参酌しつつ説明する。図１は、本発明にかかる包装体の一実施の形態を示す斜視図である。包装体１は、被包装物２と該被包装物を被服するシュリンクフィルム３からなる。
【００１２】
被包装物２は、例えばタイルカーペット等の矩形状を呈するシート状のもの（薄肉状のもの）で、複数枚が積み重なれている。具体的には、一辺が５００ｍｍのものが、２０枚程度重ね合わされている。シート状のものとは、タイルカーペット以外に、偏平状態に折り畳まれたダンボール箱や、発泡ウレタン、発泡スチロール板材等の腰の軟らかいものや、変形し易いものが挙げられる。
【００１３】
シュリンクフィルム３は、例えばポリエチレン、ポリエステル、ポリスチレン、ポリ塩化ビニル、ポリプロピレン等の２軸延伸された厚さ２０〜２００μｍ程度の熱収縮フィルムである。シュリンクフィルム３は、図２（イ）及び（ロ）に示す如く、前記被包装物２の全体を被覆しているが、一部にほとんど収縮されていない部分（本実施の形態では、全く加熱されない非収縮部分）３ａが残されている。具体的には、シュリンクフィルム３は、各被包装物２の角部２ａの部分を除いて加熱収縮されている。包装体１の上面１ａ及び底面１ｂの収縮部分５ａ，５ｂは、十字状になっており、包装体１の側面１ｃの収縮部５ｃは、前記収縮部５ａ，５ｂと連続する帯状になっている。
【００１４】
前記収縮部分５ａ，５ｂ，５ｃの幅長Ｗ１は、被包装物２の幅長Ｗの略１／３に設定されているのが好ましいが、特に限定されるものではない。シュリンクフィルム３は、包装体１の４隅の部分が非収縮部分３ａとなり、各被包装物２は、シュリンクフィルム３により四方及び上下方向から緊張されるため、ずれたりガタ付いたりすることはなく、全体がシュリンクフィルム３により被覆されている。
また、前記非収縮部分３ａの少なくとも一つであって、且つ包装体１の上面部分には、シュリンクフィルム３を破断するための破断手段としてのミシン目７が刻設されている。尚、収縮部分５ａ，５ｂ，５ｃをドットで示す。
【００１５】
次に、前記包装体１を製造する場合について説明する。先ず、所定枚数の被包装物２を積み重ね、その段積みされた被包装物２の全体をシュリンクフィルム３で被覆する（図３参照）。かかるシュリンクフィルム３で被包装物２を被覆する手段としては、例えば、周知のピロー包装機やＬ型シール包装機等を使用することができ、包装形態は、３方シール又は４方シールが好ましい。
【００１６】
次に、シュリンクフィルム３を、各被包装物２の角部２ａを除いて加熱収縮させる。シュリンクフィルム３の加熱手段としては、シュリンクトンネルを採用することができる。シュリンクトンネルを採用する場合には、予めシュリンクフィルム３の非収縮部分３ａにマスキングを施し、その状態でシュリンクフィルム３で被覆された被包装物２を、シュリンクトンネルを通過させる。シュリンクトンネル内でシュリンクフィルム３のマスキングを施していない部分が加熱されて熱収縮し、複数枚の被包装物２を結束したタスキ掛け状態で包装できる。
【００１７】
尚、マスキングとは、加熱以前のシュリンクフィルムの所定部分に、加熱を防止できるシートを剥離可能に貼着したり、シュリンクフィルムを加熱する際に、邪魔板等の加熱防止手段を、シュリンクフィルムの所定部分に沿わせたりする。また、赤外線ヒーターを使用する場合は、熱線反射シートで部分的に覆って加熱しても良い。予めシュリンクフィルム３の所定部分の表面に硬質インキ等の収縮防止用印刷を施したりすることもできる。また、シュリンクフィルム３の所定部分を加熱する手段としては、小型の熱風ブロアー等で部分的に加熱したり、加熱されたローラをシュリンクフィルム３に転動させたりするものであっても良く、その手段は、特に限定されるものではない。
【００１８】
また、シュリンクフィルム３における被包装物２の角部２ａの部分は、熱収縮しないため、その非収縮部分３ａは被包装物２の角部２ａを緊張させることはなく、角部２ａ（特に、上段側及び下段側の被包装物２の４角部である包装体１の角部の８カ所）に応力がかかることはない。従って、包装体１の出荷から店頭に陳列されるまで長時間を要した場合であっても、梱包を開封した際に、被包装物である各カーペットの角部２ａが、潰れたり変形したりすることはない。
【００１９】
また、開封用のミシン目７は、加熱収縮しない部分に刻設されていることから、シュリンクフィルム３を熱収縮させても、その際にシュリンクフィルム３は、ミシン目７をきっかけにして不用意に破断してしまうおそれはない。
【００２０】
本発明のシュリンク包装体は、上記の実施の形態に限定されるものではなく、例えば、図４（イ）に示す実施の形態は、被包装物２が平面視三角形状を呈し、その３個の角部２ａを除いてシュリンクフィルム３を加熱収縮させたものである。尚、加熱収縮部５をドットで示す。
また、同図（ロ）に示す実施の形態は、被包装物２が平面視台形状を呈し、しかも、包装体１の上下面及び側面に複数条（本実施の形態では２条）のシュリンク部５を設けたものである。尚、被包装物の形状は特に限定されるものではなく、シュリンクフィルム３は、少なくとも被包装物２の角部２ａの部分を除いて加熱収縮されておれば良い。また、前記それぞれの実施の形態では、シュリンクフィルム３は、被包装物２の角部２ａの部分が非収縮部分３ａとなっていたが、かかる部分は、角部２ａを圧縮して緊張させない状態（角部２ａが、潰れたり変形したりすることはない状態）に加熱収縮された場合であっても良い。
【００２１】
【発明の効果】
本発明は、被包装物を包装するシュリンクフィルムは、加熱収縮された部分により、複数の被包装物をしっかりと固定することができると共に、少なくとも被包装物の角部の部分がほとんど加熱収縮されていないので、被包装物の角部がシュリンクフィルムで緊張されることがなく、角部に応力がかからず、梱包を開封した際に、各角部に梱包癖が付くのを防止できる。この結果、商品価値が低下することがなく、ダンボール等に比し、薄いシュリンクフィルムを用いるため、コンパクトな包装体となると共に、包装コストも安価で且つ廃棄物も減少する。
【図面の簡単な説明】
【図１】本発明のシュリンク包装体の一実施形態を示す一部破断斜視図である。
【図２】（イ）は本発明のシュリンク包装体の一実施形態を示す平面図、（ロ）は一部破断を含む正面図である。
【図３】本発明のシュリンク包装体を熱収縮させる以前を示す一部破断斜視図である。
【図４】（イ）及び（ロ）は本発明のシュリンク包装体の他の実施の形態をそれぞれ示す平面図である。
【図５】従来例を示し、（イ）はシュリンク包装体の概略断面図、（ロ）は被包装物の要部を示す断面図である。
【符号の説明】
１…包装体、２…被包装物、２ａ…角部、３…シュリンクフィルム
【図１】
2004168350.tif 000003
【図２】
2004168350.tif 000004
【図３】
2004168350.tif 000005
【図４】
2004168350.tif 000006
【図５】
2004168350.tif 000007